(57)【要約】      （修正有）【課題】頬側側面に形成した頬側凹溝と、舌側側面に形成した舌側凹溝又は段部を設け、これらの凹溝や段部に充填し硬化させることで補充した合成樹脂材料の離脱を防止可能にした歯列矯正器具とその修正方法を提供する。【解決手段】患者の下顎歯列弓に上方から着脱自在に装着して歯列を矯正する為の合成樹脂製の歯列矯正器具1であって、下顎歯列弓の湾曲状の上端面に適合するように形成された湾曲状の下端面２を有する歯列矯正器具において、歯列矯正器具は、湾曲状下端面の他に、湾曲状の上端面３と、この湾曲状上端面の頬側端縁から下方へ延びる頬側側面４と、湾曲状上端面の舌側端縁から下方へ延びる舌側側面５とを有し、頬側側面の上端近傍部に頬側端縁の下側近傍部へ凹入した頬側凹溝６が形成され、舌側側面の上端近傍部に舌側端縁の近傍部を切除した段部７又は舌側端縁の下側近傍部へ凹入した舌側凹溝を形成する。【選択図】図４
2020178992.tif 000002
【特許請求の範囲】
【請求項１】
患者の下顎歯列弓に上方から着脱自在に装着して歯列を矯正する為の合成樹脂製の歯列矯正器具であって、前記下顎歯列弓の湾曲状の上端面に適合するように形成された湾曲状の下端面を有する歯列矯正器具において、
歯列矯正器具は、前記湾曲状下端面の他に、湾曲状の上端面と、この湾曲状上端面の頬側端縁から下方へ延びる頬側側面と、前記湾曲状上端面の舌側端縁から下方へ延びる舌側側面とを有し、
前記頬側側面の上端近傍部に前記頬側端縁の下側近傍部へ凹入した頬側凹溝が形成され、
前記舌側側面の上端近傍部に前記舌側端縁の近傍部を切除した段部又は前記舌側端縁の下側近傍部へ凹入した舌側凹溝が形成されたことを特徴とする歯列矯正器具。
【請求項２】
前記湾曲状上端面を修正する為に湾曲状上端面の全部又は一部に合成樹脂材料を補充して整形後硬化させると共に、この補充した合成樹脂材料に連なる合成樹脂材料を前記頬側凹溝と前記段部又は舌側凹溝に充填して整形後硬化させたことを特徴とする請求項１に記載の歯列矯正器具。
【請求項３】
前記補充する合成樹脂材料は、前記歯列矯正器具を構成している合成樹脂材料とは異なる種類の光重合型の合成樹脂材料であることを特徴とする請求項２に記載の歯列矯正器具。
【請求項４】
合成樹脂製の歯列矯正器具の頬側側面の上端近傍部に頬側凹溝を予め形成すると共に、
前記歯列矯正器具の舌側側面の上端近傍部に段部又は舌側凹溝を予め形成しておき、
前記歯列矯正器具の湾曲状上端面を修正する際に、前記湾曲状上端面に歯列矯正器具を構成する合成樹脂材料とは異種の合成樹脂材料を補充して整形後硬化させると共に、
前記補充した合成樹脂材料の離脱を防止する為に補充した合成樹脂材料に連なる合成樹脂材料を前記頬側凹溝および前記段部又は舌側凹溝に充填して硬化させることを特徴とする歯列矯正器具の修正方法。
【発明の詳細な説明】
【技術分野】
【０００１】
本発明は、歯列矯正器具とその修正方法に関し、特に就寝中に装着して歯列を矯正したり口腔を拡大したりする歯列矯正器具とその修正方法に関する。
【背景技術】
【０００２】
従来、種々の歯列矯正器具が実用化されており、通常は針金状の拘束具でもって歯列に矯正力を付加するものや、個々の患者の歯列に適合させた合成樹脂製の歯列矯正器具が公知である。
【０００３】
後者の合成樹脂製の歯列矯正器具の１つとして、通常歯科矯正用レジン材料（例えば、メタクリル酸系合成樹脂ポリマー）で構成されるものであり、乳歯から永久歯に生えかわる頃の児童や永久歯に生えかわった児童の歯列の矯正に採用されるものがある。この歯列矯正器具は、児童の成長に応じて噛合い形状や口腔サイズに関連する上下方向の厚みを修正する必要があるが、その修正の際には、歯列矯正器具の湾曲状の上端面に合成樹脂材料を補充して整形後硬化させることで修正する。
【０００４】
ここで、本発明に直接関係するものではないが、参考までに、特許文献１に記載の歯列矯正装置は、第２大臼歯を歯槽骨に押圧させる力を発生させる動力アセンブリを有するものである。
特許文献２に記載の歯列矯正器具は、下側歯列の１つの歯にボタンを設け、上側歯列の１つの歯にボタンを設け、これらボタン同士を弾性体で連結して拘束力を作用させることで歯列を矯正する。
【先行技術文献】
【特許文献】
【０００５】
【特許文献１】特開２０１９−５５１７９号公報
【特許文献２】特開２０１３−８１７８５号公報
【発明の開示】
【発明が解決しようとする課題】
【０００６】
歯列矯正器具の湾曲状の上端面に合成樹脂材料を補充して整形後硬化させることで修正する際に、同種の合成樹脂材料を補充する場合には、歯列矯正具に補充した合成樹脂材料が一体的に結合するため、補充した合成樹脂材料が脱落する虞はない。
しかし、補充する際、硬化前の粘土状の合成樹脂材料（メタクリル酸系合成樹脂モノマー）に噛み合せをして型取りする際に、上記の合成樹脂材料が強い刺激臭を発するため、患者に多大の不快感を与えていた。
【０００７】
そこで、歯列矯正器具の湾曲状の上端面に合成樹脂材料を補充して整形する際に、メタクリル酸系合成樹脂ポリマーと異なる種類の合成樹脂材料（例えば、光重合型のアルリル樹脂系モノマー）を補充することも考えられる。しかし、その場合、補充する合成樹脂材料とメタクリル酸系合成樹脂ポリマーとの親和性に乏しく一体的に結合しないため、補充した合成樹脂材料が離脱する虞がある。
【０００８】
本発明は、歯列矯正器具の頬側側面の上端近傍部に形成した頬側凹溝と、舌側側面の上端近傍部に形成した舌側凹溝又は段部を設け、これらの凹溝や段部に充填し硬化させることで補充合成樹脂材料の離脱を防止可能にした歯列矯正器具とその修正方法を提供することである。
【課題を解決するための手段】
【０００９】
請求項１の歯列矯正器具は、患者の下顎歯列弓に上方から着脱自在に装着して歯列を矯正する為の合成樹脂製の歯列矯正器具であって、前記下顎歯列弓の湾曲状の上端面に適合するように形成された湾曲状の下端面を有する歯列矯正器具において、歯列矯正器具は、前記湾曲状下端面の他に、湾曲状の上端面と、この湾曲状上端面の頬側端縁から下方へ延びる頬側側面と、前記湾曲状上端面の舌側端縁から下方へ延びる舌側側面とを有し、前記頬側側面の上端近傍部に前記頬側端縁の下側近傍部へ凹入した頬側凹溝が形成され、前記舌側側面の上端近傍部に前記舌側端縁の近傍部を切除した段部又は前記舌側端縁の下側近傍部へ凹入した舌側凹溝が形成されたことを特徴としている。
【００１０】
上記の構成によれば、この歯列矯正器具の湾曲状上端面を修正する際に補充する合成樹脂材料の一部を頬側凹溝と前記段部又は舌側凹溝に充填して整形後硬化させると、補充した合成樹脂材料が歯列矯正器具と一体的に結合しない場合でも、前記凹溝や段部に充填されて硬化した合成樹脂材料により補充合成樹脂材料が離脱するのを防止することができる。
【００１１】
請求項２の歯列矯正具は、請求項１の発明において、前記湾曲状上端面を修正する為に湾曲状上端面の全部又は一部に合成樹脂材料を補充して整形後硬化させると共に、この補充した合成樹脂材料に連なる合成樹脂材料を前記頬側凹溝と前記段部又は舌側凹溝に充填して整形後硬化させたことを特徴としている。
【００１２】
上記の構成によれば、請求項１の欄で説明したように、前記頬側凹溝と前記段部又は舌側凹溝に充填されて整形後硬化した合成樹脂材料により補充合成樹脂材料が脱落するのを防止することができる。
【００１３】
請求項３の歯列矯正器具は、請求項２の発明において、前記補充する合成樹脂材料は、前記歯列矯正器具を構成している合成樹脂材料とは異なる種類の光重合型の合成樹脂材料であることを特徴としている。
【００１４】
上記の構成によれば、補充する合成樹脂材料が前記歯列矯正器具を構成している合成樹脂材料とは異なる種類の光重合型の合成樹脂材料であるため、補充した合成樹脂材料を光重合により簡単に硬化させることができる。
【００１５】
請求項４の歯列矯正器具の修正方法は、合成樹脂製の歯列矯正器具の頬側側面の上端近傍部に頬側凹溝を予め形成すると共に、前記歯列矯正器具の舌側側面の上端近傍部に段部又は舌側凹溝を予め形成しておき、前記歯列矯正器具の湾曲状上端面を修正する際に、前記湾曲状上端面に歯列矯正器具を構成する合成樹脂材料とは異種の合成樹脂材料を補充して整形後硬化させると共に、 前記補充した合成樹脂材料の離脱を防止する為に補充した合成樹脂材料に連なる合成樹脂材料を前記頬側凹溝および前記段部又は舌側凹溝に充填して硬化させることを特徴としている。
【００１６】
上記の構成によれば、前記歯列矯正器具の湾曲状上端面を修正する際に湾曲状上端面に補充する合成樹脂材料(歯列矯正器具を構成する合成樹脂材料とは異種の合成樹脂材料)に連なる合成樹脂材料を前記頬側凹溝および前記段部又は舌側凹溝に充填して硬化させることにより、補充した合成樹脂材料の脱落を防止することができる。
【発明の効果】
【００１７】
本発明によれば、以上説明したように種々の効果が得られる。
【図面の簡単な説明】
【００１８】
【図１】本発明の実施形態に係る歯列矯正器具の斜視図である。
【図２】歯列矯正器具の平面図である。
【図３】歯列矯正器具の底面図である。
【図４】図２のIV−IV線断面図である。
【図５】図２のＶ−Ｖ線断面図である。
【図６】補充した合成樹脂材料を含む図４相当図である。
【図７】補充した合成樹脂材料を含む図５相当図である。
【発明を実施するための形態】
【００１９】
本発明を実施するための形態について図１〜図５に基づいて説明する。
図１〜図５に示すように、歯列矯正器具１は、乳歯が生えかわる頃の児童や、永久歯が生え揃った頃の児童の歯列の矯正や口腔の拡大に用いるものであり、主に就寝時に装着して就寝中に歯列を矯正したり、口腔の拡大を図ったりするものである。
この歯列矯正器具１は、患者の下顎歯列弓に適合するように患者毎に型取りして製作されたものであり、下記の頬側凹溝６と段部７を除いて、歯科矯正用レジン材料（例えば、常温重合型のメタクリル酸系合成樹脂の共重合体）を用いて周知の製作技術により製作される。
【００２０】
この歯列矯正器具１は、患者の下顎歯列弓に上方から着脱自在に装着するもので、下顎歯列弓の湾曲状の上端面（歯の噛み合い面）に適合するように型取りして形成された湾曲状の下端面２を有するものである。この下端面２には患者の下顎歯列弓の複数の歯形凹部２ａ，２ｂ，２ｃ・・・が形成されている。
【００２１】
図１〜図３に示すように、歯列矯正器具１は、前記の湾曲状下端面２の他に、湾曲状の上端面３と、この湾曲状上端面３の頬側端縁４ａから下方へ延びる湾曲状の頬側側面４と、湾曲状上端面３の舌側端縁５ａから下方へ延びる湾曲状の舌側側面５とを有している。
前記の湾曲状の上端面３は、患者の上顎歯列弓の歯の噛み合い面にほぼ適合するように適宜整形して形成する。
【００２２】
図４、図５に示すように、歯科技工士が切削工具でもって歯列矯正器具１を切削加工することにより、頬側側面４の上端近傍部に頬側端縁４ａの下側近傍部へ凹入した頬側凹溝６が全長に亙って形成され、舌側側面５の上端近傍部に舌側端縁５ａの近傍部を切除した段部７が全長に亙って形成される。
【００２３】
上記の頬側凹溝６は頬側に向って開口する断面Ｖ形の小溝であるが、断面Ｖ形に限定されるものではなく、頬側凹溝６の上側にオーバーハング状の係止部６ａを形成できる形状であればよい。上記の段部７は、湾曲状上端面３から鉛直又は略鉛直に下がる鉛直面７ａと、この鉛直面７ａの下端から舌側へ水平に延びる水平面７ｂとからなる。尚、鉛直面７ａと水平面７ｂの間の角度は９０°又は９０°に近い鋭角に形成される。
【００２４】
尚、上記の段部７の代わりに、舌側端縁５ａの下側近傍部へ凹入した舌側凹溝であって、頬側凹溝６と同様の断面Ｖ形の舌側凹溝を形成してもよい。
【００２５】
患者の成長に応じて歯列も成長し、口腔も成長するため、患者の成長に応じて歯列矯正器具１の湾曲状上端面３を修正しなければならない。
図６、図７に示すように、歯列矯正器具１の湾曲状上端面３を修正する際に、湾曲状上端面３の全部又は一部に、歯列矯正器具１を構成している合成樹脂材料とは異種の合成樹脂材料１０を補充して整形後硬化させると共に、この補充した合成樹脂材料１０の離脱を防止する為に補充した合成樹脂材料１０に連なる合成樹脂材料を頬側凹溝６と段部７又は舌側凹溝に充填して整形後硬化させる。
【００２６】
補充する合成樹脂材料１０は、歯列矯正器具１を構成している合成樹脂材料とは異なる種類の光重合型の合成樹脂材料（例えば、光重合型のアクリル系合成樹脂モノマー）であるため、補充した合成樹脂材料１０が歯列矯正器具１の表面に一体的に結合することはないが、頬側凹溝６に充填して硬化させた充填合成樹脂１０ａを係止部６ａで係止し、段部７に充填して硬化させた充填合成樹脂１０ｂを鉛直面７ａで係止することで、歯列矯正器具１からの補充した合成樹脂材料１０の離脱を防止している。
【００２７】
即ち、補充した合成樹脂材料１０が離脱するためには、図６、図７において、矢印Ａの方向（上方）へ移動するか、矢印Ｂの方向（頬側）へ移動しなければならない。
しかし、頬側凹溝６に充填して硬化させた充填合成樹脂１０ａが係止部６ａで係止されているため、矢印Ａの方向へは移動不能である。しかも、段部７に充填して硬化した充填合成樹脂１０ｂが段部７で係止されるため、矢印Ｂの方向へも移動不能である。
【００２８】
尚、上記の段部７の代わりに、舌側端縁の下側近傍部へ凹入した舌側凹溝であって、頬側凹溝と同様の断面Ｖ形の舌側凹溝を形成してもよい。
尚、２回目の修正を施す際には、１回目の修正により補充した合成樹脂材料１０に重ねて同種の合成樹脂材料を補充するが、同種の合成樹脂材料であるため光重合により硬化後にはそれらは一体的に結合し離脱することがない。
【００２９】
以上説明した歯列矯正器具の作用、効果については以上の説明から明らかであるので、重複説明するのを省略する。
【００３０】
また、上記の説明からも分かるように、歯列矯正器具１の修正方法は、合成樹脂製の歯列矯正器具１の頬側側面４の上端近傍部に頬側凹溝６を予め形成すると共に、歯列矯正器具１の舌側側面５の上端近傍部に段部７又は舌側凹溝を予め形成しておき、歯列矯正器具１の湾曲状上端面３を修正する際に、湾曲状上端面３に歯列矯正器具１を構成する合成樹脂材料とは異種の合成樹脂材料１０を補充して整形後硬化させると共に、補充した合成樹脂材料１０の離脱を防止する為に補充した合成樹脂材料１０に連なる合成樹脂材料１０ａ，１０ｂを頬側凹溝６および段部７又は舌側凹溝に充填して硬化させる方法である。
簡単な構成の頬側凹溝６と段部７又は舌側凹溝を利用して補充合成樹脂材料の離脱を確実に防止することができる。
【符号の説明】
【００３１】
１      歯列矯正器具
２      湾曲状下端面
３      湾曲状上端面
４      頬側側面
５      舌側側面
６      頬側凹溝
６ａ    係止部
７      段部
７ａ    鉛直面
１０    補充合成樹脂材料
【図１】
2020178992.tif 000003
【図２】
2020178992.tif 000004
【図３】
2020178992.tif 000005
【図４】
2020178992.tif 000006
【図５】
2020178992.tif 000007
【図６】
2020178992.tif 000008
【図７】
2020178992.tif 000009